(57)【要約】      （修正有）【課題】通気性の効果を低下させることなく、ＰМ２.５の微小粒子状物質の効果的な濾過、抗菌及び天然ポリフェノールの抗酸化作用や抗フリーラジカルなどの複数の効果を達成し、さらに抗ウイルスフィルター層を合わせることによりウイルスの危害を防ぎ、包括的な空気濾過効果を達成し、使用者に爽やかで清潔な空気をもたらし、健康的で快適な環境を作ることができる空調用複合フィルターを提供する。【解決手段】空調用複合フィルターは第１フィルターモジュール１１０と第２フィルターモジュール１２０を左右横並びで組み合わせ、風下側から風上側に向かって、第１フィルターモジュールはポリフェノール機能層１１４、第１抗菌フィルター層１１３及び第１メルトブローンＨＥＰＡフィルター層１１２をこの順序で備え、第２フィルターモジュールはマイナスイオン機能層１２４、第２抗菌フィルター層１２３及び第２メルトブローンＨＥＰＡフィルター層１２２をこの順序で備える。【選択図】図２
0003234538.tif 000002
【実用新案登録請求の範囲】
【請求項１】
相対する風上側と風下側を有する空調用複合フィルターであって、
前記風下側に位置して天然ポリフェノールを含有するポリフェノール機能層、前記ポリフェノール機能層上に配置される第１抗菌フィルター層、及び前記第１抗菌フィルター層上に配置されるとともに前記風上側向きである第１メルトブローンＨＥＰＡフィルター（Ｈｉｇｈ  Ｅｆｆｉｃｉｅｎｃｙ  Ｐａｒｔｉｃｕｌａｔｅ  Ａｉｒ  Ｆｉｌｔｅｒ）層を備える第１フィルターモジュールと、
前記第１フィルターモジュールと横並びに組み合わせて設置される第２フィルターモジュールであって、前記風下側に位置してマイナスイオンセラミック粉末及びナノ抗菌粒子を含有するマイナスイオン機能層、前記マイナスイオン機能層上に配置される第２抗菌フィルター層、及び前記第２抗菌フィルター層上に配置されるとともに前記風上側向きである第２メルトブローンＨＥＰＡフィルター層を備える第２フィルターモジュールと、
を含む、空調用複合フィルター。
【請求項２】
前記第１メルトブローンＨＥＰＡフィルター層及び前記第２メルトブローンＨＥＰＡフィルター層の表面に設置され、前記風上側向きである抗ウイルスフィルター層をさらに含む、請求項１に記載の空調用複合フィルター。
【請求項３】
前記第１メルトブローンＨＥＰＡフィルター層と前記第１抗菌フィルター層の間に配置され、顆粒状活性炭又は網状活性炭を含有する第１活性炭層をさらに含む、請求項１に記載の空調用複合フィルター。
【請求項４】
前記顆粒状活性炭は前記第１抗菌フィルター層の表面又は繊維構造中に結合している、請求項３に記載の空調用複合フィルター。
【請求項５】
前記第２メルトブローンＨＥＰＡフィルター層と前記第２抗菌フィルター層の間に配置され、顆粒状活性炭又は網状活性炭を含有する第２活性炭層をさらに含む、請求項１に記載の空調用複合フィルター。
【請求項６】
前記顆粒状活性炭は前記第２抗菌フィルター層の表面又は繊維構造中に結合している、請求項５に記載の空調用複合フィルター。
【請求項７】
前記ポリフェノール機能層は前記天然ポリフェノールがポリフェノール層不織布に結合することにより構成される、請求項１に記載の空調用複合フィルター。
【請求項８】
前記マイナスイオン機能層はマイナスイオンセラミック粉末とナノ抗菌粒子がマイナスイオン抗菌基布に結合することにより構成される、請求項１に記載の空調用複合フィルター。
【請求項９】
前記第１メルトブローンＨＥＰＡフィルター層及び前記第２メルトブローンＨＥＰＡフィルター層はＨＥＰＡフィルター層がメルトブローン不織布に結合することにより構成される、請求項１に記載の空調用複合フィルター。
【請求項１０】
第１抗菌フィルター層及び前記第２抗菌フィルター層は静電濾材又は不織布により構成されるとともに、抗菌材料が分布しており、前記抗菌材料にはナノ酸化亜鉛、銀イオン又は第４級アンモニウム塩が含まれる、請求項１に記載の空調用複合フィルター。
【請求項１１】
前記天然ポリフェノールは緑茶ポリフェノール抽出物、ぶどうポリフェノール抽出物又は両者の混合物である、請求項１に記載の空調用複合フィルター。
【請求項１２】
前記第１フィルターモジュール及び前記第２フィルターモジュールはフレーム上に固定される、請求項１に記載の空調用複合フィルター。
【考案の詳細な説明】
【技術分野】
【０００１】
本考案は空調用フィルターに関し、特に、清浄効果を大幅に高めることができ、人体に有益な空調用複合フィルターに関する。
【背景技術】
【０００２】
空気の品質悪化の問題は日々深刻さを増し、室内環境の空気汚染は一般の人々の想像を遥かに超えるレベルである。空気中には肉眼では見えない病原菌、ちり、油煙、ほこり、煙霧、殺虫剤、花粉、有害ガスなどのような汚染粒子が多く存在し、汚染と臭気以外に、これらの有害な空気汚染物質はフリーラジカルの生成を促進し、人体の健康に莫大な危害をもたらす。
【０００３】
フリーラジカルは不対電子を持つ原子団であり、原子が分子を形成する時、化学結合中の電子は、フリーラジカルがその他の物質の電子を奪って安定した化合物を形成するように対になる必要があり、この現象を化学では酸化と呼ぶ。生物体系が常に遭遇するのは、スーパーオキシドアニオンラジカル、ヒドロキシルラジカル、脂肪酸ラジカル、二酸化窒素、一酸化窒素などのような酸素フリーラジカルである。生物体内の活性酸素・フリーラジカルは免疫及びシグナル伝達のような特定の機能を有するが、活性酸素・フリーラジカルの過多は人体の正常な細胞及び組織の破壊を招き、様々な疾病を引き起こす。また、外界環境中の太陽光の放射、空気汚染、喫煙、農薬などにより人体からより多くの活性酸素・フリーラジカルが発生し、生物体内の核酸が突然変異し、これが人間の老化や病気の根源となる。例えば、料理で発生した油煙中にはフリーラジカル成分が含まれているので、常にキッチンで作業している主婦や飲食店の料理人は肺の疾病や腫瘍の確率がその他の人々より遥かに高くなる。
【０００４】
自動車に関して言えば、車内の装備や材料はトルエン、ホルムアルデヒド、エタノール、アセトン、ブタノールなどの有毒ガスを発散するが、エアコンを備えた自動車は、除塵、殺菌、消臭、防カビなどの作用を有する空調フィルターを合わせて使用することにより、車内空間の空気清浄を達成し、使用者がより健康的で快適に感じられるようにでき、車内環境で形成されるフリーラジカルが使用者の健康を脅かす事態を防止するためには、フレグランスやアロマオイルを利用する方式によりフリーラジカルを除去する方法もある。
【０００５】
一方、空気は伝染病を引き起こす病原微生物を人体内に侵入させて疾病を引き起こす重要な媒介の一つであり、伝染病を引き起こす病原微生物は、近年よく見られる季節性インフルエンザやＨ１Ｎ１新型インフルエンザのようなウイルスを含み、ウイルスは主にせきやくしゃみ又は話す時に発生する飛沫により伝播し、また感染者の分泌物に直接接触することにより伝播する。したがって、いかにして、伝染病のウイルス伝播を防ぐ機能を空調用フィルターに組み合わせることにより、使用効果を大幅に高めるかということは、実用価値のある技術課題となっている。
【考案の概要】
【考案が解決しようとする課題】
【０００６】
以上の問題点に鑑みて、本考案の主な目的は、第１フィルターモジュールと第２フィルターモジュールを横並びで組み合わせることにより、通気性の効果を低下させることなく、ＰМ２.５の微小粒子状物質の濾過、抗菌及び天然ポリフェノールの抗酸化作用や抗フリーラジカルなどの複数の効果を達成し、フィルター性能を大幅に高めるとともに、環境中に大量にフリーラジカルが存在することを効果的に防止でき、さらに抗ウイルスフィルター層を合わせることによりウイルスの危害を防ぎ、包括的な空気濾過効果を達成し、健康的で快適な環境を作ることができる、空調用複合フィルターを提供することにある。
【課題を解決するための手段】
【０００７】
上述の目的を達成するため、本考案の空調用複合フィルターの構造を開示するが、その構造は第１フィルターモジュールと第２フィルターモジュールを横並びで組み合わせたものである。空調用複合フィルターの風下側から風上側に向かって、第１フィルターモジュールにはポリフェノール機能層、第１抗菌フィルター層及び第１メルトブローンＨＥＰＡフィルター（Ｈｉｇｈ  Ｅｆｆｉｃｉｅｎｃｙ  Ｐａｒｔｉｃｕｌａｔｅ  Ａｉｒ  Ｆｉｌｔｅｒ）層をこの順序で配置する。第２フィルターモジュールにはマイナスイオン機能層、第２抗菌フィルター層及び第２メルトブローンＨＥＰＡフィルター層をこの順序で配置する。ポリフェノール機能層は天然ポリフェノールを含有し、例えば、スプレイコーティング、浸漬又は転写の方式を利用して天然ポリフェノールをポリフェノール層基布上に形成することができる。また、天然ポリフェノールは緑茶ポリフェノール抽出物、ぶどうポリフェノール抽出物又は両者の混合物である。第１抗菌フィルター層及び第２抗菌フィルター層は静電濾材又は不織布により構成され、粉塵、花粉などの汚染物質を濾過除去するのに用いられるとともに、ナノ酸化亜鉛、銀イオン又は第４級アンモニウム塩などのような抗菌材料を含む。第１メルトブローンＨＥＰＡフィルター層及び第２メルトブローンＨＥＰＡフィルター層は０.３μｍ以上の粒子状物質を効果的に濾過でき、粒子捕集効率は８５％以上に達し、かつＰМ２.５（２.５μｍ）の微小粒子状物質、ダニ（約２００μｍ）、花粉（約２０μｍ）に対する粒子捕集効率はさらに９９.９％以上に達する。マイナスイオン機能層は、マイナスイオン抗菌原料をマイナスイオン抗菌基布製作工程において添加方式によりマイナスイオン抗菌基布の繊維構造中に結合させたもの、又はマイナスイオン抗菌原料をスプレイコーティング、浸漬又はプリントの方式によりコーティングしてマイナスイオン抗菌基布の表面上に形成したものである。このマイナスイオン抗菌原料には主にマイナスイオンセラミック粉末及びナノ抗菌粒子が含まれるとともに、水性ポリウレタンを主成分の結合剤、有機抗菌着色剤及び溶剤として混合し、これにより抗菌防カビ効果やマイナスイオンの発生による空気浄化の効果が提供される。
【０００８】
本考案は実施形態において、抗ウイルスフィルター層をさらに含み、抗ウイルスフィルター層は第１メルトブローンＨＥＰＡフィルター層及び第２メルトブローンＨＥＰＡフィルター層の表面に設置され、風上側向きであり、これによりウイルスの侵入を防ぐ効果を達成し、伝染病が伝播する機会を低減することができる。
【０００９】
本考案は実施形態において、第１活性炭層又は／及び第２活性炭層をさらに含み、第１活性炭層は第１メルトブローンＨＥＰＡフィルター層と第１抗菌フィルター層の間に配置され、第２活性炭層は第２メルトブローンＨＥＰＡフィルター層と第２抗菌フィルター層の間に配置される。第１活性炭層及び第２活性炭層は顆粒状活性炭又は網状活性炭により構成され、空気中の有害ガス（トルエン、ブタン、二酸化硫黄、二酸化窒素など）や臭気を除去できる。本考案では吸着効果の高い活性炭を使用し、その用量を増やすことにより、吸着効果がさらに高められる。
【考案の効果】
【００１０】
上述した手段によれば、空気が空調用複合フィルターを通過する時、通気性の効果を低下させることなく、微小粒子状物質を効果的に濾過し、有害ガス及び臭気を除去できるとともに、菌の抑制や防カビ効果を達成でき、さらに天然ポリフェノールを空気中に発散し、周囲の環境中のフリーラジカルの存在を除去できるので、人体に対する抗酸化作用や老化を遅らせるといった効果がもたらされ、人体の健康を促進できる。さらに、抗ウイルスフィルター層により空気中のウイルスの侵入が阻止されるので、伝染病の発生リスクを低減することができる。
【００１１】
本考案の目的、技術内容、特徴及び達成される効果をより容易に理解できるようにするため、添付の図面と併せて好ましい実施例について以下に詳細に説明する。
【図面の簡単な説明】
【００１２】
【図１】本考案の第１実施形態における空調用複合フィルターの外観を示す図である。
【図２】本考案の第１実施形態における空調用複合フィルターの分解図である。
【図３Ａ】本考案の第１実施形態における空調用複合フィルターの第１フィルターモジュールの局部拡大断面図である。
【図３Ｂ】本考案の第１実施形態における空調用複合フィルターの第２フィルターモジュールの局部拡大断面図である。
【図４】本考案の空調用複合フィルターのポリフェノール機能層の局部拡大断面図である。
【図５】本考案の空調用複合フィルターのマイナスイオン機能層の局部拡大断面図である。
【図６】本考案の第２実施形態における空調用複合フィルターの分解図である。
【図７】本考案の第３実施形態における空調用複合フィルターを示す図である。
【図８】本考案の空調用複合フィルターが自動車空調システムに応用された様子を示す図である。
【考案を実施するための形態】
【００１３】
本考案の実施形態について、関連する図を合わせて以下にさらなる説明を加える。図面及び明細書においては、可能な限り、同じ符号で同一又は同様の部材を示す。図面においては、簡潔性及び利便性のため、形状及び厚さが拡大表示されることがある。特に図中で表示されていない、或いは明細書に記載されていない素子は、当業者が知る形態であると解釈できる。当業者は本考案の内容に基づいて様々な変更や修正を行うことができる。
【００１４】
図１及び図２を参照されたい。図１は本考案の第１実施形態における空調用複合フィルターの外観を示す図であり、図２は同フィルターの分解図である。
【００１５】
本実施形態における空調用複合フィルター１００は図１に示すように、第１フィルターモジュール１１０及び第２フィルターモジュール１２０により構成され、第１フィルターモジュール１１０及び第２フィルターモジュール１２０はフレーム１１１内に固定され、第１フィルターモジュール１１０と第２フィルターモジュール１２０は横並びに設置される。フレーム１１１の様式は使用ニーズに応じて調整、変更でき、この様式に限定されない。図２に示すように、第１フィルターモジュール１１０には風上側１０１から風下側１０２に向かって（図中では上から下）、第１メルトブローンＨＥＰＡフィルター層１１２、第１抗菌フィルター層１１３及びポリフェノール機能層１１４がこの順序で配置され、第２フィルターモジュール１２０には風上側１０１から風下側１０２に向かって（図中では上から下）、第２メルトブローンＨＥＰＡフィルター層１２２、第２抗菌フィルター層１２３及びマイナスイオン機能層１２４がこの順序で配置され、各層はいずれも屈曲させて波状にすることにより各層の表面と空気の接触面積が大きくなり、より多くの空気を濾過して濾過効果を高めることができる。各層の効果及びそれらの効果を達成する具体的手段については以下に詳しく説明する。
【００１６】
図３Ａ及び図３Ｂを参照されたい。図３Ａは本考案の第１実施形態における空調用複合フィルター１００の第１フィルターモジュール１１０の局部拡大断面図であり、図３Ｂは同フィルターの第２フィルターモジュール１２０の局部拡大断面図である。第１メルトブローンＨＥＰＡフィルター層１１２及び第２メルトブローンＨＥＰＡフィルター層１２２にはＨＥＰＡ規格に合った濾材が使用され、粒径が０.３μｍの粒子状物質の粒子捕集効率は８５％以上、かつＰＭ２.５（２.５μｍ）の微小粒子状物質、ダニ（約２００μｍ）、花粉（約２０μｍ）の粒子捕集効率は９９.９％以上に達する。ＨＥＰＡ濾材は通常ランダム配向の化学繊維（例えば、ポリプロピレン繊維やポリエステル繊維）及びガラス繊維から製造され、微視的な綿毛構造により、大小の粒子状物質を遮断する。ＨＥＰＡ濾材の等級が高いほど粒子捕集効率が高く、その繊維の細孔配列が密であるほど、風を取り込んで浄化する際の風の抵抗が大きくなり、クリーンエア供給率（ＣＡＤＲ：  Ｃｌｅａｎ  Ａｉｒ  Ｄｅｌｉｖｅｒｙ  Ｒａｔｅ）が低下する。本考案で採用するＨＥＰＡ濾材の等級によれば、第１フィルターモジュール１１０及び第２フィルターモジュール１２０の中のその他の層を相互に組み合わせることにより、通気性と粒子捕集効率の要求を満たすという条件の下、全体的な効果が最大限にバランスのとれたものになる。実際の使用ではニーズに応じて適切な等級を選択することができる。
【００１７】
第１抗菌フィルター層１１３及び第２抗菌フィルター層１２３は不織布又は静電濾材により構成され、主な作用は濾過及び抗菌防カビである。静電濾材又は不織布は粉塵、花粉などの不純物を除去するのに用いられる。
【００１８】
本考案における第１抗菌フィルター層１１３及び第２抗菌フィルター層１２３は様々な抗菌材料を含有することができ、その製作方法は静電濾材又は不織布の製造工程中で３〜１０ｗｔ％(重量パーセント)の銀ナノ粒子、例えば、銀イオン、ナノ酸化亜鉛又は第４級アンモニウム塩など、を混入させるものであり、これにより抗菌防カビの効果を高める。
【００１９】
図３Ａ及び図４を参照されたい。図４は第１実施形態におけるポリフェノール機能層１１４の局部拡大断面図である。ポリフェノール機能層１１４は天然ポリフェノール原料により形成された天然ポリフェノールコーティング層１１５がポリフェノール層基布１１６（例えば、不織布）の繊維構造中又は少なくとも一部の表面上に結合することにより構成され、フリーラジカル除去効果は８０％以上に達することができる。天然ポリフェノールは緑茶ポリフェノール抽出物、ぶどうポリフェノール抽出物又は両者の混合物から選択できる。天然ポリフェノール原料自体は液体であり、スプレイコーティング、浸漬又は転写などをポリフェノール層基布１１６に施すことができる。本考案におけるポリフェノール機能層１１４自体は抗菌機能を有し、天然ポリフェノール材料に抗菌材料を添加することにより、抗菌効果を強化することもできる。
【００２０】
図３Ｂ及び図５を同時に参照されたい。図５は第１実施形態におけるマイナスイオン機能層１２４の局部拡大断面図である。マイナスイオン機能層１２４はイオン抗菌原料により形成されたマイナスイオンコーティング層１２５がマイナスイオン抗菌基布１２６（例えば、不織布）の繊維構造中又は少なくとも一部の表面上に結合することにより構成され、濾過効果以外の主な効果には抗菌、防カビ、除臭及びマイナスイオン生成が含まれる。マイナスイオン抗菌原料にはマイナスイオンセラミック粉末及びナノ抗菌粒子が主に含まれる。マイナスイオンセラミック粉末はマイナスイオンを生成する作用を有し、ナノ抗菌粒子はナノ酸化亜鉛、銀ナノ粒子、第４級アンモニウム塩又はその他の混合物であり、除臭作用、抗菌防カビ作用を有する。各材料によって用量が異なるので、異なる効果を強化できる。例えば、マイナスイオンセラミック粉末の用量を増やせばマイナスイオン生成作用を強化でき、ナノ抗菌粒子の用量を増やせば抗菌抗カビの効果を増強できる。
【００２１】
上述のポリフェノール機能層１１４、第１抗菌フィルター層１１３及び第１メルトブローンＨＥＰＡフィルター層１１２を組み合わせると第１フィルターモジュール１１０となり、マイナスイオン機能層１２４、第２抗菌フィルター層１２３及び第２メルトブローンＨＥＰＡフィルター層１２２を組み合わせると第２フィルターモジュール１２０になり、第１フィルターモジュール１１０及び第２フィルターモジュール１２０をそれぞれ屈曲させて波状にすることにより、フィルターと空気の接触面積が大きくなり、より多くの空気を濾過して濾過効果を高めることができる。続いて、第１フィルターモジュール１１０及び第２フィルターモジュール１２０をフレーム１１１に固定し、左右横並びで組み合わせることより、本考案の第１実施形態の空調用複合フィルター１００が得られる。さらに、空調用複合フィルター１００を組み立てる工程において、ホットプレスによる圧着又は接着剤による接着の方法を用いることができる。
【００２２】
また、本考案の空調用複合フィルターは第１活性炭層又は／及び第２活性炭層を含むことができる。本考案の第２実施形態における空調用複合フィルター２００の分解図である図６を参照されたい。第１実施形態と異なるのは、本実施形態の第１フィルターモジュール１１０は第１メルトブローンＨＥＰＡフィルター層１１２と第１抗菌フィルター層１１３の間に第１活性炭層２１７を設け、さらに第２メルトブローンＨＥＰＡフィルター層１２２と第２抗菌フィルター層１２３の間には第２活性炭層２２７を設ける点である。
【００２３】
第１活性炭層２１７及び第２活性炭層２２７は顆粒状活性炭によりそれぞれ第１抗菌フィルター層１１３及び第２抗菌フィルター層１２３の繊維構造中又は少なくとも一部の表面上に結合することで活性炭層を形成する、或いは、直接顆粒状活性炭は第１メルトブローンＨＥＰＡフィルター層１１２と第１抗菌フィルター層１１３の間及び第２メルトブローンＨＥＰＡフィルター層１２２と第２抗菌フィルター層１２３の間に配置される及び挟持される。その主な作用はトルエン、ホルムアルデヒドなどの有害物質を除去することである。本考案の実施形態及び図では顆粒状活性炭を第１抗菌フィルター層１１３及び第２抗菌フィルター層１２３の表面に設置した形態を代表例とし、その加工方式は第１抗菌フィルター層１１３及び第２抗菌フィルター層１２３の製作完了後、後続の加工を行う時に、顆粒状活性炭を第１抗菌フィルター層１１３及び第２抗菌フィルター層１２３の表面に散布し接着させる。その他実務上で使用可能な加工には、第１抗菌フィルター層１１３及び第２抗菌フィルター層１２３の製造工程において添加方式により顆粒状活性炭を第１抗菌フィルター層１１３及び第２抗菌フィルター層１２３の繊維構造中に結合させる方式、又は顆粒状活性炭を網状構造に吸着させることにより構成される網状活性炭を第１抗菌フィルター層１１３及び第２抗菌フィルター層１２３の表面に直接接着及び付着させる方式が含まれる。
【００２４】
活性炭は極めて高い吸着力を有し、主に活性炭表面の細孔を利用し、直径サイズとその細孔直径が合致する不純物が細孔中に吸着し、活性炭の等級が高いほど細孔が多く、吸着力も強くなる。したがって、使用する活性炭の等級が高いほど、又は使用数量が多いほど、ホルムアルデヒドやトルエンなどの有害物質を吸着する力が強くなる。本考案の第１活性炭層２１７及び第２活性炭層２２７は実験により、特定の椰子殻炭を使用した場合、その炭素含有量が２００ｇ／ｍ2以上に達する時、空気中のホルムアルデヒドやトルエンなどの大量の有害揮発性ガスを迅速に濾過除去できることが示されている。
【００２５】
さらに、本考案の空調用複合フィルターは抗ウイルスフィルター層を含むことができる。本考案の第３実施形態における空調用複合フィルター３００を示す図７を参照されたい。第１実施形態と異なるのは、本実施形態の第１フィルターモジュール１１０及び第２フィルターモジュール１２０は風上側向きの表面、つまり前述の第１メルトブローンＨＥＰＡフィルター層１１２及び第２メルトブローンＨＥＰＡフィルター層１２２の表面に抗ウイルスフィルター層３０８を設ける点である。抗ウイルスフィルター層３０８の使用により空気中の季節性インフルエンザ、Ｈ１Ｎ１新型インフルエンザ、エンテロウイルス、ＳＡＲＳ、新型コロナウイルスなどの数量を減少させ、使用者はこれらの伝染病にかかる機会を低減することができる。
【００２６】
本考案の空調用複合フィルターが自動車空調システムに応用された様子を示す図８を図７と併せて参照されたい。本実施形態は空調用複合フィルター３００の代表例である。
【００２７】
空調用複合フィルター３００は自動車の冷房システムの送風機８０内に取り付けられ、抗ウイルスフィルター層３０８は送風機８０の吸気口８１に向けて設置される。送風機８０の吸気口８１は自動車内部の熱い空気を吸い込み、吸い込んだ空気はファン８２を通過し、抗ウイルスフィルター層３０８を経て自動車内部のウイルスが吸着され、次に第１メルトブローンＨＥＰＡフィルター層１１２及び第２メルトブローンＨＥＰＡフィルター層１２２を通過してＰＭ２.５の微小粒子状物質が効果的に濾過され、次に第１活性炭層２１７及び第２活性炭層２２７により臭気及び有害ガスが除去され、その後第１抗菌フィルター層１１３及び第２抗菌フィルター層１２３を通過して様々なほこり、細菌などの有害物質が濾過除去される。さらに、ポリフェノール機能層１１４が空調の循環に伴いゆっくりと天然ポリフェノールを放出することにより空気中のフリーラジカルの存在が除去されるとともに、抗菌作用を有することで人体に抗酸化作用及び老化を遅らせる効果がもたらされると同時に、マイナスイオン機能層１２４により殺菌、防カビ、マイナスイオンの放出が行われて空気の浄化作用が発揮される。最後に排気口８３から濾過後のきれいな空気を自動車内部に拡散させることにより、快適で爽やかな車内環境が提供される。
【００２８】
本考案により提案された空調用複合フィルターは、自動車空調システム中に取り付けて使用できるだけでなく、家庭用の空気清浄機、セントラル空調、電気掃除機、業務用環境浄化システムなどの空気清浄設備中に広く用いることができ、自宅、医療現場、業務領域などの様々な場所の空気汚染問題を効果的に解決することができる。
【００２９】
上述の内容をまとめると、本考案により提案された空調用複合フィルターは、粉塵、花粉を濾過除去する以外に、空気中の有害ガスや臭気を効果的に除去することもでき、黄色ブドウ球菌、大腸菌、カンジダ菌、肺炎桿菌、緑膿菌などを含む病気を引き起こしやすい細菌を抑制でき、また、天然ポリフェノール放出機能を融合し、天然ポリフェノールはフリーラジカルを除去する作用を有するだけでなく、環境中のフリーラジカルの人体への危害を回避し、抗酸化、アンチエイジングの目的も達成でき、さらに抗ウイルスフィルター層により空気中のウイルスをシャットアウトすることもできるので、伝染病の発生リスクを低減することもできる。本考案はこのようにして空気の品質を包括的に向上させることができ、使用者の健康安全を維持するのに有効であり、製品の付加価値を大幅に高め、経済効果を作り出すことができる。
【００３０】
上述の記載は本考案の好ましい実施形態に過ぎず、本考案の実施範囲を限定するものではない。したがって、本考案の実用新案登録請求の範囲に記載された特徴及び精神に基づいてなされた均等な変更や修飾はすべて、本考案の実用新案登録請求の範囲内に含まれる。
【符号の説明】
【００３１】
１００  空調用複合フィルター
１０１  風上側
１０２  風下側
１１０  第１フィルターモジュール
１１１  フレーム
１１２  第１メルトブローンＨＥＰＡフィルター層
１１３  第１抗菌フィルター層
１１４  ポリフェノール機能層
１１５  天然ポリフェノールコーティング層
１１６  ポリフェノール層基布
１２０  第２フィルターモジュール
１２２  第２メルトブローンＨＥＰＡフィルター層
１２３  第２抗菌フィルター層
１２４  マイナスイオン機能層
１２５  マイナスイオンコーティング層
１２６  マイナスイオン抗菌基布
２００  空調用複合フィルター
２１７  第１活性炭層
２２７  第２活性炭層
３００  空調用複合フィルター
３０８  抗ウイルスフィルター層
８０  送風機
８１  吸気口
８２  ファン
８３  排気口
【図１】
0003234538.tif 000003
【図２】
0003234538.tif 000004
【図３Ａ】
0003234538.tif 000005
【図３Ｂ】
0003234538.tif 000006
【図４】
0003234538.tif 000007
【図５】
0003234538.tif 000008
【図６】
0003234538.tif 000009
【図７】
0003234538.tif 000010
【図８】
0003234538.tif 000011